(57)【要約】【課題】魚釣用リールにおいて、軸受を保持する軸支持部をはずすことなく、軸受を着脱可能で、軸支持部の強度を確保する。【解決手段】魚釣用リールの軸受収容構造は、スプール軸を回転可能に支持する軸受と、スプール軸の端面に対向して配置され、スプール軸に交わる方向に延在する蓋部５０と、軸受を収容して支持し、蓋部５０をスプール軸の端面に対向して保持する軸支持部３６と、を備える。軸支持部３６は、軸受をスプール軸の方向に挿抜可能な軸孔３６ｄ、および、スプール軸に交わる方向に、かつ、蓋部５０の延在する方向に、蓋部５０の少なくとも一部を挿抜可能な蓋孔３６ｅが形成され、蓋部５０は、軸支持部３６の蓋孔３６ｅに保持された状態で、軸孔３６ｄの開口を塞ぐ。【選択図】図３
2019118266.tif 000002
【特許請求の範囲】
【請求項１】
スプール軸を回転可能に支持する軸受と、
前記スプール軸の端面に対向して配置され、前記スプール軸に交わる方向に延在する蓋部と、
前記軸受を収容して支持し、前記蓋部を前記スプール軸の端面に対向して保持する軸支持部と、
を備え、
前記軸支持部は、前記軸受を前記スプール軸の方向に挿抜可能な軸孔、および、前記スプール軸に交わる方向に、かつ、前記蓋部の延在する方向に、前記蓋部の少なくとも一部を挿抜可能な蓋孔が形成され、
前記蓋部は、前記軸支持部の前記蓋孔に保持された状態で、前記軸孔の開口を塞ぐ
軸受収容構造。
【請求項２】
前記蓋部は、前記軸受の外径以上の径の円弧部を有し、前記円弧部が前記軸孔に嵌まる位置で前記軸支持部に保持される、請求項１に記載の軸受収容構造。
【請求項３】
前記蓋部は、
中間に前記円弧部の外径以上の直径の嵌合穴が形成された板状部材と、
前記円弧部の直径で、前記嵌合穴に嵌まる当たり部材と、
を含む、請求項２に記載の軸受収容構造。
【請求項４】
前記蓋部は、
板状部材と、前記円弧部とを有し、
前記円弧部は、
前記板状部材の主面の短手方向に前記板状部材を挟む２つの凸部および中央の孔が形成された弾性体の環状部材と、
前記環状部材の前記孔に嵌合する当たり部材と
を含む、
請求項２に記載の軸受収容構造。
【請求項５】
釣り竿に取り付けられるリール本体と、
前記リール本体に回転可能に支持され、釣り糸を外周に巻き取るスプールと、
前記スプールの回転中心で前記スプールを支持するスプール軸と、
請求項１から４のいずれか１項に記載の軸受収容構造と、
を備える両軸受リール。
【発明の詳細な説明】
【技術分野】
【０００１】
本発明は、魚釣り用リールの軸受収容構造および該軸受収容構造を備える両軸受リールに関する。
【背景技術】
【０００２】
両軸受リールでは、スプールを交換するために、ハンドルの反対側でスプール軸を支持する軸支持部をリール本体からはずすことができるようになっている。軸支持部にはスプール軸を回転可能に支持する軸受が収容されている。スプール軸を回転可能に支持する軸受を整備するために、軸支持部をリール本体からはずさずに、軸受を外側から着脱できる両軸受リールが知られている。
【０００３】
たとえば、特許文献１の両軸受リールでは、図４に示されるように、軸支持部に外側から軸受を挿抜できるように、軸受が通過可能な貫通孔を形成し、貫通孔の開口をねじ込み式のキャップで塞いでいる。
【先行技術文献】
【特許文献】
【０００４】
【特許文献１】特開２０１７−１２７２３３号公報
【発明の概要】
【発明が解決しようとする課題】
【０００５】
特許文献１の両軸受リールのように、軸支持部にねじを切り、キャップをねじではめる構造では、軸支持部を樹脂で形成すると、ねじの強度が不足する。
【０００６】
本発明は、上述の問題を解決するためになされたものであって、魚釣り用リールにおいて、軸受を保持する軸支持部をはずすことなく、軸受を着脱可能で、軸支持部の強度を確保することを目的とする。
【課題を解決するための手段】
【０００７】
本発明の第１の観点に係る軸受収容構造は、スプール軸を回転可能に支持する軸受と、スプール軸の端面に対向して配置され、スプール軸に交わる方向に延在する蓋部と、軸受を収容して支持し、蓋部をスプール軸の端面に対向して保持する軸支持部と、を備え、軸支持部は、軸受をスプール軸の方向に挿抜可能な軸孔、および、スプール軸に交わる方向に、かつ、蓋部の延在する方向に、蓋部の少なくとも一部を挿抜可能な蓋孔が形成され、蓋部は、軸支持部の蓋孔に保持された状態で、軸孔の開口を塞ぐ。
【０００８】
好ましくは、蓋部は、軸受の外径以上の径の円弧部を有し、円弧部が軸孔に嵌まる位置で軸支持部に保持される。
【０００９】
好ましくはさらに、蓋部は、中間に円弧部の外径以上の直径の嵌合穴が形成された板状部材と、円弧部の直径で、嵌合穴に嵌まる当たり部材と、を含む。
【００１０】
好ましくは、あるいは、蓋部は、板状部材と、円弧部とを有し、円弧部は、板状部材の主面の短手方向に板状部材を挟む２つの凸部および中央の孔が形成された弾性体の環状部材と、環状部材の孔に嵌合する当たり部材とを含む。
【００１１】
本発明の第２の観点に係る両軸受リールは、釣り竿に取り付けられるリール本体と、リール本体に回転可能に支持され、釣り糸を外周に巻き取るスプールと、スプールの回転中心でスプールを支持するスプール軸と、第１の観点に係る軸受収容構造と、を備える。
【発明の効果】
【００１２】
本発明によれば、魚釣り用リールにおいて、軸受を保持する軸支持部をはずすことなく、軸受を着脱可能で、軸支持部の強度を確保することができる。
【図面の簡単な説明】
【００１３】
【図１】本発明の実施の形態１に係る両軸受リールの斜視図
【図２】実施の形態１に係る両軸受リールの断面図
【図３】実施の形態１に係る軸受収容構造の斜視図
【図４】実施の形態１に係る軸受収容構造の断面斜視図
【図５】実施の形態１に係る蓋部の斜視図
【図６】実施の形態１に係る軸受収容構造の変形例を示す斜視図
【図７】本発明の実施の形態２に係る蓋部を示す斜視図
【図８】本発明の実施の形態３に係る蓋部を示す分解斜視図
【発明を実施するための形態】
【００１４】
以下、本発明の実施の形態について図面を参照して詳細に説明する。なお図中、同一または同等の部分には同一の符号を付す。
【００１５】
実施の形態１．
図１は、本発明の実施の形態１に係る両軸受リールの斜視図である。両軸受リール１０は、リール本体１２、リール本体１２の側方に配置されたスプール回転駆動用のハンドル１４、および、糸巻用のスプール１６を備えている。スプール１６は、リール本体１２に回転可能に支持されるスプール軸に装着されている。
【００１６】
ハンドル１４からスプール１６への回転の伝達を解除して、釣り糸の先につけられた釣りの仕掛けをキャストすると、スプール１６は自由に回転して、釣り糸が繰り出される。リール本体１２の後部に設けられたクラッチ操作部材４３によって、ハンドル１４の回転を伝達するクラッチオン状態と、伝達を解除するクラッチオフ状態に切り換えることができる。
【００１７】
リール本体１２は、フレーム３０と、フレーム３０の両側方に装着された第１側カバー３２および第２側カバー３４とを有している。第１側カバー３２は、ハンドル１４の側にネジ止め固定され、ハンドル１４の側でフレーム３０を覆う。第２カバー３４は、ハンドル１４と反対側でフレーム３０を覆う。カバー３４の中程に、スプール１６に加えられる制動力を調節するための操作部材２４が配置されている。
【００１８】
スプール１６に巻かれた釣り糸は、図１の左手前方向に繰り出される。図１に向かって、リール本体１２から図１の左手前の方を前方、右奥の方を後方という。
【００１９】
図２は、実施の形態１に係る両軸受リールの断面図である。リール本体１２は、間隔をあけて対向して配置された第１側板３０ａおよび第２側板３０ｂを有するフレーム３０と、第１側カバー３２および第２側カバー３４と、軸支持部３６と、を有する。第１側カバー３２は、ハンドル１４側の第１側板３０ａの側でフレーム３０の外を覆う。第２側カバー３４は、第２側板３０ｂの側でフレーム３０の外を覆う。第２側カバー３４は、開閉可能である。図２は、第２側カバー３４を開けた状態を示す。
【００２０】
第１側カバー３２に、ハンドル１４からスプール軸４６に回転を伝達する駆動機構４０が収容されている。スプール軸４６は、第１側板３０ａおよび第２側板３０ｂを貫いて配置され、両端をそれぞれ軸受４７ａ、４７ｂで回転可能に支持されている。第１側板３０ａの側の軸受４７ａは、第１側カバー３２に収容され、第２側板３０ｂの側の軸受４７ｂは、軸支持部３６に収容されている。スプール１６は、第１側板３０ａと第２側板３０ｂとの間に配置されてスプール軸４６に装着されている。スプール１６は、スプール軸４６とともに回転する。第２側板３０ｂには、スプール１６がスプール軸４６の方向に通過しうる開口部３０ｃが形成されている。軸支持部３６は、第２側板３０ｂの開口部３０ｃに着脱可能に連結される。
【００２１】
軸支持部３６は、軸受４７ｂを介してスプール１６を回転自在に支持する。軸支持部３６は、扁平有底円筒状に形成され、第２側板３０ｂに着脱可能に連結される。軸支持部３６は、軸受４７ｂを収容する筒状の軸受収容部３６ａ、開口部３０ｃに嵌合する大径の装着部３６ｂ、および、軸受収容部３６ａと装着部３６ｂとを連結する段付き円板状の底部３６ｃを有する。装着部３６ｂとスプール１６の間にスプール制動装置２２が配置される。スプール制動装置２２は、軸支持部３６に連結されている。
【００２２】
軸支持部３６には、軸受４７ｂをスプール軸４６の方向に第２側カバー３４の側に挿抜可能な軸孔３６ｄが形成されている。軸支持部３６には、軸孔３６ｄを塞ぐ蓋部５０が、スプール軸４６の端面に対向して配置されている。軸支持部３６、軸受４７ｂおよび蓋部５０は、軸受収容構造を構成する。
【００２３】
図３は、実施の形態１に係る軸受収容構造の斜視図である。図３は、第２側板３０ｂから外した軸支持部３６、スプール制動装置２２および蓋部５０を示す。図３では、操作部材２４は省略されている。軸支持部３６の装着部３６ｂの外周に、複数のカム突起３６ｆが間隔をあけて形成されている。カム突起３６ｆは、第２側板３０ｂの開口部３０ｃに形成されているカム受けに係合して、軸支持部３６を第２側板３０ｂに連結させる。
【００２４】
軸受収容部３６ａの底部３６ｃから第２側カバー３４の側に突き出た部分に、スプール軸４６に交わる方向に、蓋部５０を挿抜可能な蓋孔３６ｅが形成されている。蓋部５０は、スプール軸４６に交わる方向に延在している。蓋部５０は、延在する方向に蓋孔３６ｅから挿抜できる。蓋部５０は、軸孔３６ｄを横切って塞いでいる。蓋部５０は、蓋孔３６ｅでスプール軸４６の方向の移動が拘束される。
【００２５】
図４は、実施の形態１に係る軸受収容構造の断面斜視図である。図４では、スプール軸４６およびスプール制動装置２２は省略されている。蓋部５０は、軸受４７ｂの内輪に挿入されるスプール軸４６に交わる方向に延在し、軸孔３６ｄを横切って軸孔３６ｄの開口を塞いでいる。蓋部５０と軸受４７ｂの外輪との間に、抜け止め４８が配置されている。抜け止め４８は、例えば、円環状のスペーサ、環状のばね、ＣリングまたはＯリングである。軸受４７ｂは、第１側板３０ａの方向には軸受収容部３６ａで拘束され、第２側カバー３４の方向には抜け止め４８を間に挟んで蓋部５０に拘束されるので、スプール軸４６の方向に移動しない。また、蓋部５０は、図示されていないスプール軸４６の端面に対向し、スプール軸４６の軸当たりである。図４に示す蓋部５０は、中間が軸孔３６ｄを塞ぐように、軸孔３６ｄの直径以上、すなわち軸受４７ｂの外径以上の径の円弧部が形成されている。
【００２６】
図５は、実施の形態１に係る蓋部の斜視図である。蓋部５０には、前述のとおり、軸受４７ｂの外径以上の径の円弧部５０ａが、幅方向の両側にはみ出るように形成されている。蓋孔３６ｅの幅は、例えば、円弧部５０ａの直径以上で、円弧部５０ａが蓋孔３６ｅに挿抜できる大きさである。円弧部５０ａが軸孔３６ｄを塞ぐ位置で、蓋部５０が保持される。例えば、蓋孔３６ｅの挿入口と反対の奥の側の幅が、円弧部５０ａの直径より小さく、円弧部５０ａが軸孔３６ｄを塞ぐ位置より奥に挿入できないようになっていてもよい。そして、例えば、軸受収容部３６ａの底部３６ｃから第２側カバー３４の側に突き出た部分にキャップを嵌めて、蓋孔３６ｅの挿入口を塞ぎ、蓋部５０が蓋孔３６ｅから抜けないように保持される。第２側カバー３４に蓋部５０の抜け止めを形成して、第２側カバー３４を閉じたときに、蓋部５０が抜けないように保持してもよい。
【００２７】
図３および図４では、軸支持部３６を第２側板３０ｂからはずした斜視図で示されているが、蓋孔３６ｅは、第２側板３０ｂより第２側カバー３４の側に形成されているので、軸支持部３６をはずすことなく、蓋部５０を挿抜できる。したがって、軸支持部３６を第２側板３０ｂに連結させた状態で、軸受４７ｂを軸支持部３６に着脱できる。
【００２８】
実施の形態１に係る軸受収容構造によれば、軸受４７ｂを保持する軸支持部３６をはずすことなく、軸受４７ｂを着脱可能である。そして、細かいねじ山のような応力集中がないので、軸支持部３６の強度を確保することができる。
【００２９】
蓋部５０は、図５に示すような直方体の中間に円弧部５０ａが形成された形状に限らない。蓋部５０は、スプール軸４６に交わる方向に延在し、軸孔３６ｄを塞いで、スプール軸４６の端面に対向して保持されれば、どのような形状でもよい。例えば、軸孔３６ｄの開口を覆う楕円または円の板状の部材でもよい。
【００３０】
図６は、実施の形態１に係る軸受収容構造の変形例を示す斜視図である。図６の変形例では、蓋部５０は円板であって、いわば図５の円弧部５０ａだけから構成される。図６の例では、蓋部５０を挿抜しやすいように、蓋孔３６ｅの底部３６ｃに対向する部分が切り欠かれている。図６の例でも、蓋孔３６ｅの幅は、円板である蓋部５０の直径以上で、蓋部５０が蓋孔３６ｅに挿抜できる大きさである。軸孔３６ｄの内周には、少なくとも部分的に蓋部５０を軸方向に拘束する段部または溝が形成され、蓋部５０は軸孔３６ｄを塞ぐ位置で保持される。蓋部５０が蓋孔３６ｅから抜け出ないように、軸受収容部３６ａの突き出た部分にキャップが嵌められる。あるいは、第２側カバー３４に蓋部５０の抜け止めが形成される。
【００３１】
蓋部５０は、軸孔３６ｄを塞ぐ大きさで蓋孔３６ｅから抜け出ないように保持されれば、どのような形状でもよい。例えば、軸受収容部３６ａの突き出た部分にキャップが嵌められるか、あるいは、第２側カバー３４を閉じたときに、蓋孔３６ｅが塞がれるように、第２側カバー３４に蓋部５０の抜け止めが形成されていれば、蓋部５０は、軸孔３６ｄの直径より大きい幅の矩形の板でもよい。
【００３２】
実施の形態２．
図７は、本発明の実施の形態２に係る蓋部を示す斜視図である。実施の形態２の蓋部５０は、中間に軸孔３６ｄの径以上の径の嵌合穴５１ａが形成された板状部材５１と、軸孔３６ｄの径以上の直径で、嵌合穴５１ａに嵌まる当たり部材５２と、を含む。実施の形態２では、軸支持部３６は実施の形態１と同様である。図７の蓋部５０は、当たり部材５２がスプール軸４６の端面に向き合うように、蓋孔３６ｅに挿入される。当たり部材５２は、スプール軸４６の軸当たりである。
【００３３】
当たり部材５２は、板状部材５１の嵌合穴５１ａにはめ込まれているだけでもよいし、板状部材５１に、例えば接着で固定されていてもよい。蓋孔３６ｅの幅は、当たり部材５２の直径以上で、板状部材５１に当たり部材５２を嵌めた状態で、蓋部５０を挿抜することができる。当たり部材５２が軸孔３６ｄを塞ぐ位置で、蓋部５０が保持される。蓋部５０が蓋孔３６ｅに保持される構造は、実施の形態１と同様である。当たり部材５２と軸受４７ｂの外輪の間に抜け止め４８が介在して、蓋部５０が軸受４７ｂを軸方向に拘束する。
【００３４】
実施の形態２の蓋部５０では、当たり部材５２を軸当たりに適した材質とすることができる。例えば、板状部材５１に左右されずに、スプール軸４６との摩擦と摩耗が小さい材質を選択できる。
【００３５】
実施の形態３．
図８は、本発明の実施の形態３に係る蓋部を示す分解斜視図である。実施の形態３の蓋部５０は、板状部材５３、環状部材５４および当たり部材５５を含む。板状部材５３は、矩形で厚さが一様な板状である。環状部材５４は、弾性体で形成され、板状部材５３の主面の短手方向に板状部材５３を挟む２つの凸部５４ａ、および中央の孔５４ｂが形成されている。当たり部材５５は、環状部材５４の孔５４ｂに嵌合する。
【００３６】
図８の蓋部５０は、板状部材５３が環状部材５４の２つの凸部５４ａに挟まれ、当たり部材５５が孔５４ｂに嵌合した状態で、軸支持部３６に保持される。環状部材５４と当たり部材５５は、円弧部に相当する。環状部材５４は、軸孔３６ｄに嵌合し、軸受４７ｂの外輪に当接する。当たり部材５５は、スプール軸４６の軸当たりである。当たり部材５５の厚さを、環状部材５４の孔５４ｂの高さより小さくして、当たり部材５５が軸受４７ｂの内輪に触れないようにしてもよい。
【００３７】
図８の蓋部５０は、板状部材５３、環状部材５４および当たり部材５５が組み合わされた状態で、蓋孔３６ｅから挿入される。あるいは、環状部材５４に当たり部材５５を嵌合させて、軸孔３６ｄの開口からスプール軸４６の方向に挿入して保持し、板状部材５３を蓋孔３６ｅから挿入する。板状部材５３は、環状部材５４との摩擦力で保持される。あるいは、実施の形態１と同様に、蓋孔３６ｅを塞ぐキャップまたは第２側カバー３４に形成された抜け止めで、板状部材５３が保持される。
【００３８】
環状部材５４は、弾性体で軸受４７ｂに当接するので、軸受４７ｂの抜け止めだけでなく、軸受４７ｂの振動を抑制する。板状部材５３は、凹凸がなく単純な板であり、製作するのが容易である。当たり部材５５が別体なので、実施の形態２と同様に、軸当たりに適した材質とすることができる。
【符号の説明】
【００３９】
１０    両軸受リール
１２    リール本体
１４    ハンドル
１６    スプール
３０    フレーム
３０ａ  第１側板
３０ｂ  第２側板
３２    第１側カバー
３４    第２側カバー
３６    軸支持部
３６ａ  軸受収容部
３６ｂ  装着部
３６ｃ  底部
３６ｄ  軸孔
３６ｅ  蓋孔
３６ｆ  カム突起
４６    スプール軸
４７ａ、４７ｂ  軸受
４８    抜け止め
５０    蓋部
５０ａ  円弧部
５１    板状部材
５１ａ  嵌合穴
５２    当たり部材
５３    板状部材
５４    環状部材
５４ａ  凸部
５４ｂ  孔
５５    当たり部材
【図１】
2019118266.tif 000003
【図２】
2019118266.tif 000004
【図３】
2019118266.tif 000005
【図４】
2019118266.tif 000006
【図５】
2019118266.tif 000007
【図６】
2019118266.tif 000008
【図７】
2019118266.tif 000009
【図８】
2019118266.tif 000010